【手続補正書】
【提出日】平成28年10月5日(2016.10.5)
【手続補正１】
【補正対象書類名】特許請求の範囲
【補正対象項目名】全文
【補正方法】変更
【補正の内容】
【特許請求の範囲】
【請求項１】
剛性翼型帆であって、
側縁部に対向する隣接縁部を各々有する１対の細長い剛性パネルであって、前記１対の細長い剛性パネルの前記隣接縁部が細長い孔を画定する剛性パネルと、
前記１対の細長い剛性パネルに前記剛性パネルの隣接縁部で連結されるマストを含み、前記剛性パネルの互いに対する枢動であって、前記マストを中心とした枢動を可能にし、
ｉ）前記剛性パネルの前記側縁部が互いに隣接する閉形態であって、前記剛性翼型帆が実質的に閉じられる前記閉形態、
または
ｉｉ）前記細長い剛性パネルの前記側縁部が互いに隔てられる種々の開形態であって、前記剛性パネルの相対的配置をずらすことにより前記剛性翼型帆のキャンバーを再形成しかつ変化させて風を効果的に捉えるように、前記剛性翼型帆が可変キャンバーとされる前記開形態、
のいずれかを形成するヒンジ要素と、
を備え、
前記マストは、前記細長い孔に受け入れられ、前記閉形態および前記種々の開形態において前記１対の剛性パネルの前記隣接縁部に位置する、
剛性翼型帆。
【請求項２】
前記ヒンジ要素は、前記細長い孔を形成するピアノ型ヒンジの形態である、
請求項１に記載の剛性翼型帆。
【請求項３】
前記マストが、前記マストの傾動ひいては前記マストおよび前記関連する剛性翼型帆の昇降を可能にする関節機構に取り付けられる、
請求項１に記載の剛性翼型帆。
【請求項４】
前記１対の細長い剛性パネルの少なくとも露出面に取り付けられたまたは貼り付けられた太陽光集光器を更に備える、
請求項１に記載の剛性翼型帆。
【請求項５】
前記１対の剛性パネルの各々が、剛性材料の１つの連続片である、
請求項１に記載の剛性翼型帆。
【請求項６】
前記１対の剛性パネルが、各々、非対称な断面形状の湾曲したパネルである、
請求項１に記載の剛性翼型帆。
【請求項７】
前記１対の非対称なパネルが、実質的に同一の外形および断面形状を有する、
請求項６に記載の剛性翼型帆。
【請求項８】
前記可変キャンバーの前記剛性翼型帆は、前記ヒンジ要素の両側で対称である、
請求項７に記載の剛性翼型帆。
【請求項９】
細長くかつ前記１対の剛性パネルのそれぞれに前記剛性パネルの側縁部で枢動可能に連結される１対の２次剛性パネルを更に備え、
前記２次剛性パネルは、種々の開形態では前記剛性パネルの連続部を形成し、前記剛性翼型帆の閉形態では前記剛性翼型帆の内側に畳まれるように配設される、
請求項１に記載の剛性翼型帆。
【請求項１０】
前記剛性パネルの互いに対する枢動のための前記ヒンジ要素に動作可能に連結されたヒンジ作動機構を更に備える、
請求項１に記載の剛性翼型帆。
【請求項１１】
前記ヒンジ作動機構が、前記細長い剛性パネルおよび前記ヒンジ要素の少なくとも一方に動作可能に連結された１つまたは複数の歯車を含む、
請求項１０に記載の剛性翼型帆。
【請求項１２】
風に対して所要の角度で前記剛性翼型帆の向きを定めるために前記マストの長手方向軸線を中心とした前記マストの旋回を可能にするように前記マストに動作可能に連結された旋回手段を更に備える、
請求項１に記載の剛性翼型帆。
【請求項１３】
前記ヒンジ作動機構が、風に対して所要の角度で前記剛性翼型帆の向きを定めるように構成された旋回手段を含む、
請求項１０に記載の剛性翼型帆。
【請求項１４】
乗物に適合するようになされる、
請求項１に記載の剛性翼型帆。
【請求項１５】
前記乗物が水上船舶である、
請求項１４に記載の剛性翼型帆。
【請求項１６】
剛性帆であって、
側縁部に対向する隣接縁部を各々有する１対の細長い平面状の剛性パネルであって、前記１対の細長い平面状の剛性パネルの前記隣接縁部が細長い孔を画定する剛性パネルと、
前記１対の細長い平面状の剛性パネルに前記剛性パネルの隣接縁部で連結されるマストを含み、前記平面状の剛性パネルの互いに対する枢動であって、前記マストを中心とした枢動を可能にし、
ｉ）前記平面状の剛性パネルの前記側縁部が互いに隣接する閉形態であって、前記剛性帆が実質的に閉じられる前記閉形態、
または
ｉｉ）前記細長い平面状の剛性パネルの前記側縁部が互いに隔てられる種々の開形態であって、前記細長い平面状の剛性パネルを互いに様々な角度として、前記平面状の剛性パネルの相対的配置をずらし、前記剛性帆を再形成する前記開形態、
のいずれかを形成するヒンジ要素と、
を備え、
前記マストは、前記細長い孔に受け入れられ、前記閉形態および前記種々の開形態において前記１対の平面状の剛性パネルの前記隣接縁部に位置する、
剛性帆。
【請求項１７】
剛性翼型帆であって、
側縁部に対向する隣接縁部を各々有する１対の細長い剛性パネルと、
前記１対の細長い剛性パネルに前記剛性パネルの隣接縁部で連結されるマストを含み、前記剛性パネルの互いに対する枢動であって、前記マストを中心とした枢動を可能にし、
ｉ）前記剛性パネルの前記側縁部が互いに隣接する閉形態であって、前記剛性翼型帆が実質的に閉じられる前記閉形態、
または
ｉｉ）前記細長い剛性パネルの前記側縁部が互いに隔てられる種々の開形態であって、前記剛性パネルの相対的配置をずらすことにより前記剛性翼型帆のキャンバーを再形成しかつ変化させて風を効果的に捉えるように、前記剛性翼型帆が可変キャンバーとされる前記開形態、
のいずれかを形成するヒンジ要素と、
を備え、
前記マストは、前記閉形態および前記種々の開形態において前記１対の剛性パネルの前記隣接縁部に位置し、前記マストは、前記マストの傾動ひいては前記マストおよび前記関連する剛性翼型帆の昇降を可能にする関節機構に取り付けられる、
剛性翼型帆。
【請求項１８】
剛性翼型帆であって、
側縁部に対向する隣接縁部を各々有する１対の細長い剛性パネルと、
前記１対の細長い剛性パネルの少なくとも露出面に取り付けられたまたは貼り付けられた太陽光集光器と、
前記１対の細長い剛性パネルに前記剛性パネルの隣接縁部で連結されるマストを含み、前記剛性パネルの互いに対する枢動であって、前記マストを中心とした枢動を可能にし、
ｉ）前記剛性パネルの前記側縁部が互いに隣接する閉形態であって、前記剛性翼型帆が実質的に閉じられる前記閉形態、
または
ｉｉ）前記細長い剛性パネルの前記側縁部が互いに隔てられる種々の開形態であって、前記剛性パネルの相対的配置をずらすことにより前記剛性翼型帆のキャンバーを再形成しかつ変化させて風を効果的に捉えるように、前記剛性翼型帆が可変キャンバーとされる前記開形態、
のいずれかを形成するヒンジ要素と、
を備え、
前記マストは、前記閉形態および前記種々の開形態において前記１対の剛性パネルの前記隣接縁部に位置する、
剛性翼型帆。
【請求項１９】
剛性翼型帆であって、
側縁部に対向する隣接縁部を各々有する１対の細長い剛性パネルと、
前記１対の剛性パネルに前記剛性パネルの側縁部で枢動可能に連結される１対の細長い２次剛性パネルであって、種々の開形態では前記剛性パネルの連続部を形成し、前記剛性翼型帆の閉形態では前記前記剛性翼型帆の内側に畳まれるように配設される、２次剛性パネルと、
前記１対の細長い剛性パネルに前記剛性パネルの隣接縁部で連結されるマストを含み、前記剛性パネルの互いに対する枢動であって、前記マストを中心とした枢動を可能にし、
ｉ）前記剛性パネルの前記側縁部が互いに隣接する閉形態であって、前記剛性翼型帆が実質的に閉じられる前記閉形態、
または
ｉｉ）前記細長い剛性パネルの前記側縁部が互いに隔てられる種々の開形態であって、前記剛性パネルの相対的配置をずらすことにより前記剛性翼型帆のキャンバーを再形成しかつ変化させて風を効果的に捉えるように、前記剛性翼型帆が可変キャンバーとされる前記開形態、
のいずれかを形成するヒンジ要素と、
を備え、
前記マストは、前記閉形態および前記種々の開形態において前記１対の剛性パネルの前記隣接縁部に位置する、
剛性翼型帆。
【請求項２０】
剛性翼型帆であって、
側縁部に対向する隣接縁部を各々有する１対の細長い剛性パネルと、
前記１対の細長い剛性パネルに前記剛性パネルの隣接縁部で連結されるマストを含むヒンジ要素と、
前記細長い剛性パネルおよび前記ヒンジ要素の少なくとも一方に動作可能に連結された１つまたは複数の歯車を含み、前記剛性パネルの互いに対する枢動であって、前記マストを中心とした枢動のため前記ヒンジ要素に動作可能に連結されたヒンジ作動機構であって、
ｉ）前記剛性パネルの前記側縁部が互いに隣接する閉形態であって、前記剛性翼型帆が実質的に閉じられる前記閉形態、
または
ｉｉ）前記細長い剛性パネルの前記側縁部が互いに隔てられる種々の開形態であって、前記剛性パネルの相対的配置をずらすことにより前記剛性翼型帆のキャンバーを再形成しかつ変化させて風を効果的に捉えるように、前記剛性翼型帆が可変キャンバーとされる前記開形態、
のいずれかを形成するヒンジ作動機構と、
を備え、
前記マストは、前記閉形態および前記種々の開形態において前記１対の剛性パネルの前記隣接縁部に位置する、
剛性翼型帆。